(57)【要約】【課題】投影装置に用いられる光源装置を提供する。【解決手段】複数の光源ユニットと反射手段を含む投影装置用光源装置を提供する。各々の光源ユニットは内面が半楕円面である第一の反射マスク、反射部と灯芯部を有し、灯芯部は半楕円面の焦点に位置し、反射手段は少なくともひとつの光源ユニットからの光の経路に設置される。反射部と半楕円面の設置により各々の光源ユニットからの光は半円錐状で出力し、更に反射手段により、複数の光源ユニットからの出力光を円錐状の光に合成し、これによって、一つのバルブを有する光源装置からの光の入射角と同様な入射角で光を発することにより輝度を向上する。【選択図】図２
2006253120.tif 000002
【特許請求の範囲】
【請求項１】
投影装置に用いられ、複数の光源ユニットと反射手段とを含む光源装置であって、
前記複数の光源ユニットの各々は、
内面が半楕円面である第一の反射マスクと、
前記第一の反射マスク内に設置され、前記半楕円面の焦点に位置し、光を提供し、当該光は前記半楕円面により反射された後に半円錐状の光を生成し出力する灯芯部と、
を有し、
前記反射手段は、前記複数の光源ユニットのうち、少なくともひとつの光源ユニットからの光の経路に設置され、前記複数の光源ユニットからの前記半円錐状の光を円錐状の光に合成する、
光源装置。
【請求項２】
前記複数の光源ユニットは、互いに垂直するように設置される、
請求項１に記載の光源装置。
【請求項３】
前記反射手段は、45度傾斜する反射ミラーであり、前記半楕円面に対向するように設置される、
請求項２に記載の光源装置。
【請求項４】
前記複数の光源ユニットの各々は、第二の反射マスクを更に含み、当該第二の反射マスクの内面は半放物面であり、当該半放物面の焦点は前記半楕円面の焦点と同じ位置に位置し、
前記反射手段は、第一の反射部と第二の反射部を含み、当該第一の反射部は前記半放物面の前方に設けられ、135度傾斜する反射ミラーであり、当該第二の反射部は45度傾斜する反射ミラーであり、前記複数の光源ユニットのいずれかの半楕円面の前方に設けられる、
請求項２に記載の光源装置。
【請求項５】
前記光源ユニットは、第二の反射マスクと反射部を更に含み、
前記第二の反射マスクの内面は半放物面であり、当該放物面の焦点は、前記半楕円面の焦点と同じ位置に位置し、
前記反射部は前記第二の反射マスクの開口端を覆うように設置され、前記第二の反射マスクにより反射された光を前記第一の反射マスクに反射する、
請求項１に記載の光源装置。
【請求項６】
前記灯芯部の、前記半楕円面に対向する表面の反対側の表面に反射層を設置し、前記灯芯部からの前記光の一部は当該反射層により前記第一の反射マスクに反射される、
請求項１に記載の光源装置。
【請求項７】
前記光源ユニットは半球面状の反射ミラーを更に含み、当該半球面状の反射ミラーは前記第一の反射マスクに対向する位置に配置され、当該半球面状の反射ミラーの球心は前記半楕円面面の焦点と同じ位置に位置する、
請求項１に記載の光源装置。
【請求項８】
前記光源ユニットは灯芯部と放物面状の反射マスクを更に含み、当該灯芯部は当該放物面状の反射マスク内に設けられ、当該灯芯部からの光は前記第一の反射マスクの半楕円面により出力される、
請求項１に記載の光源装置。
【請求項９】
前記複数の光源ユニットは互いに対向するように設置され、前記反射手段は前記複数の光源ユニットの間に設置される、
請求項１に記載の光源装置。
【請求項１０】
内面が半楕円面である第一の反射マスクと、
前記第一の反射マスク内において前記半楕円面の焦点に位置し、光を提供し、当該光は、前記半楕円面により反射された後に半円錐状の光を生成し出力する灯芯部と、
を有する、
光源ユニット。
【請求項１１】
第二の反射マスクと反射部を更に含み、
前記第二の反射マスクの内面は半放物面であり、当該半放物面の焦点は前記半楕円面の焦点と同じ位置に位置し、
前記反射部は前記第二の反射マスクの開口端を覆うように設置され、前記第二の反射マスクにより反射された光を前記第一の反射マスクに反射する、
請求項１０に記載の光源ユニット。
【請求項１２】
前記灯芯部の、前記半楕円面に対向する表面の反対側の表面に反射層を設置し、前記灯芯部からの前記光の一部は当該反射層により前記第一の反射マスクに反射される、
請求項１０に記載の光源ユニット。
【請求項１３】
半球面状の反射ミラーを更に含み、当該半球面状の反射ミラーは前記第一の反射マスクに対向する位置に配置され、当該半球面状の反射ミラーの球心は前記半楕円面の焦点と同じ位置に位置する、
請求項１０に記載の光源ユニット。
【請求項１４】
灯芯部と放物面状の反射マスクを更に含み、当該灯芯部は当該放物面状の反射マスク内に設けられ、当該灯芯部からの光は前記第一の反射マスクの半楕円面により出力される、
請求項１０に記載の光源ユニット。
【請求項１５】
投影装置に用いられ、互いに垂直するように設置される第一の光源ユニット及び第二の光源ユニットと、反射手段とを含む光源装置であって、
前記第一の光源ユニット及び前記第二の光源ユニットの各々は
内面が半楕円面である第一の反射マスクと、
前記第一の反射マスク内において前記半楕円面の焦点に位置し、光を提供し、当該光は前記半楕円面により反射されて半円錐状の光を生成し出力する灯芯部と、
を有し、
前記反射手段は、45度傾斜する反射ミラーであり、前記第二の光源ユニットの半楕円面に対向するように設置され、前記第二の光源ユニットからの半円錐状の光を反射し、第一の光源ユニットからの半円錐状の光に混合させ、円錐状の光を出力する、
光源装置。
【請求項１６】
前記光源ユニットは第二の反射マスクと反射部を更に含み、
前記第二の反射マスクの内面は半放物面であり、前記半放物面の焦点は前記半楕円面の焦点と同じ位置に位置し、
前記反射部は前記第二の反射マスクの開口端を覆うように設置され、前記第二の反射マスクより反射された光を前記第一の反射マスクに反射する、
請求項１５に記載の光源装置。
【請求項１７】
前記灯芯部の、前記半楕円面に対向する表面の反対側の表面に反射層を設置し、前記灯芯部からの前記光の一部は当該反射層により前記第一の反射マスクに反射される、
請求項１５に記載の光源装置。
【請求項１８】
前記光源ユニットは半球面状の反射ミラーを更に含み、当該半球面状の反射ミラーは前記第一の反射マスクに対向する位置に配置され、当該半球面状の反射ミラーの球心は前記半楕円面面の焦点と同じ位置に位置する、
請求項１５に記載の光源装置。
【請求項１９】
前記光源装置は灯芯部と放物面状の反射マスクを更に含み、当該灯芯部は当該放物面状の反射マスク内に設けられ、当該灯芯部からの光は前記第一の反射マスクの半楕円面により出力される、
請求項１５に記載の投影システム。
【請求項２０】
投影装置に用いられ、互いに対向するように設置される第一の光源ユニット及び第二の光源ユニットと、反射手段とを含む光源装置であって、
前記第一の光源ユニット及び前記第二の光源ユニットの各々は、
内面が半楕円面である第一の反射マスクと、
前記第一の反射マスク内において前記半楕円面の焦点に位置し、光を提供し、当該光は前記半楕円面により反射された後に半円錐状の光を生成し出力する灯芯部と、
を含み、
前記反射手段は、前記第一の光源ユニットと第二の構造との間に設けられ、前記第一の光源ユニットと第二の光源ユニットからの半円錐状の光を円錐状の光に合成すると、
光源装置。
【請求項２１】
前記光源ユニットは第二の反射マスクと反射部を更に含み、
前記第二の反射マスクは半放物面状であり、当該半放物面の焦点は、前記半楕円面の焦点と同じ位置に位置し、
前記反射部は前記第二の反射マスクの開口端を覆うように設置され、前記第二の反射マスクにより反射された光を前記第一の反射マスクに反射する、
請求項２０に記載の反射装置。
【請求項２２】
前記灯芯部の、前記半楕円面に対向する表面の反対側の表面に反射層を設置し、前記灯芯部からの前記光の一部は当該反射層により前記第一の反射マスクに反射される、
請求項２０に記載の反射装置。
【請求項２３】
前記光源ユニットは半球面状の反射ミラーを更に含み、当該半球面状の反射ミラーは前記第一の反射マスクに対向する位置に配置され、当該半球面状の反射ミラーの球心は前記半楕円面の焦点と同じ位置に位置する、
請求項２０に記載の反射装置。
【請求項２４】
前記光源ユニットは灯芯部と放物面状の反射マスクを更に含み、当該灯芯部は当該放物面状の反射マスク内に設けられ、当該灯芯部からの光は前記第一の反射マスクの半楕円面により出力される、
請求項２０に記載の光源装置。
【請求項２５】
前記反射手段は45度傾斜する二つの反射面を含み、当該反射面はそれぞれ前記第一の光源ユニットと第二の光源ユニットの半楕円面に対向するように設けられる、
請求項２０に記載の光源装置。
【発明の詳細な説明】
【技術分野】
【０００１】
本発明は、光源装置に関し、特に、投影装置に用いられる光源装置に関する。
【背景技術】
【０００２】
従来の投影装置には、一つのバルブを有する光源装置が多く使用されている。しかし、大きな会場において、投影装置は、面積が大きい、且つ遠く位置するスクリーンに映像を投影するので、全ての観衆は映像がきれいに見えるために、光源装置により投影された光束の輝度が高くしなければならない。ところで、一つのバルブを有する光源装置を用いた場合は、パワーの高い光源装置は必要であり、高温及び放熱が困難である問題が生じる。よって、高輝度を提供する場合、如何に光源装置の高温問題を解決するかは、技術課題である。
【０００３】
前述の問題を解決するために、一般的に複数のバルブを有する光源装置を用いる。図１に示すように、従来の光源装置10は、バルブ11aと11b、半立方体状の反射ミラー12及び積分ロッド（Integration  Rod）13を含む。バルブ11aと11bは、楕円球状のライト・マスクを有する。バルブ11aと11bからの光は、反射ミラー12の反射面に入射し反射され、積分ロッド13の入射面にフォーカスする。しかし、二つのバルブ11aと11bからの円錐状の光は、それぞれ積分ロッド13の上方と下方に入射するので、光円錐の角度は増える。また、各バルブからの光の中心は積分ロッド13の中心に位置しないので、スクリーンの中心点の位置における光の輝度が低くなり、輝度ばらつきが生じる。更に、光円錐の角度が増えるにつれて、積分ロッド13の入射面の断面積を小さくしなければ、積分ロッド13が好適な光伝播効率を有さないので、光の結合効率が低くなる。
【０００４】
ゆえに、従来の光源装置には、光の輝度ばらつき及光の結合効率低下などの問題があって、解決が期待される。
【発明の開示】
【発明が解決しようとする課題】
【０００５】
本発明の目的は、輝度を向上する投影装置用光源装置を提供することにある。
【課題を解決するための手段】
【０００６】
前述の目的を達成するために、本発明の光源装置は複数の光源ユニットと反射手段を含む。各々の光源ユニットは、内面が半楕円面である第一の反射マスク、反射部及び灯芯部を含み、灯芯部は半楕円面の焦点に位置する。各々の光源ユニットは、反射部と半楕円面の設置により、半円錐状の出力光を発する。反射手段は、少なくとも一つの光源ユニットからの出力光の経路に設けられ、複数の光源装置からの出力光を円錐状の光に形成し、一つのバルブを有する光源装置からの光の入射角と同様な入射角で光を発することにより、輝度を向上する。
【発明の効果】
【０００７】
本発明は、輝度を向上する投影装置用光源装置を提供する。
【発明を実施するための最良の形態】
【０００８】
次に、添付した図面を参照しながら、本発明の好適な実施形態を詳細に説明する。
【０００９】
第一の実施形態
図２に示すように、本発明の光源装置２０は、複数の光源ユニットと反射手段２２を含む。本実施形態において、同様な構成を有する二つの光源ユニット21Aと21Bが用いられ、互いに垂直的に配置される。光源ユニット21Aを例とすれば、光源ユニット21Aは、第一の反射マスク211、第二の反射マスク212及び灯芯部213を含む。第一の反射マスク211は、その内面が半楕円面2111であり、第二の反射マスク212は、灯芯部213と接続され、第一の反射マスクの反対側に位置する。第二の反射マスク212の内面は、半放物面2121であり、第二の反射マスク212の内面の焦点は、半放物面2121の焦点と同じである。第二の反射マスク212の開口端には、開口端を覆うように、灯芯部213の軸線（即ち、X軸）と垂直する反射部2122が設置される。半放物面2121に対向する反射部2122の表面には、反射層が設けられ、半放物面2121により反射された光は、反射層を介して元の経路に沿って第一の反射マスク211に戻り、再び第一の反射マスク211により反射されて出力される。灯芯部213は、第一の反射マスク211と第二の反射マスク212の内部に設置され、半楕円面2111と半放物面2121との共通の焦点に位置し、光を提供する。灯芯部213からの光は、一部が半楕円面2111により反射されて半円錐状の光を形成し、他の部分が半放物面2121と反射部2122により繰り返しに反射されてから、再び半楕円面2111により反射されて半円錐状の光を形成して出力される。第二の反射マスク212の開口端が反射部2122により覆われるので、光源ユニット21Aからの光は、第一の反射マスク211の開口端から半円錐状で出力することができる。
【００１０】
反射手段22は、光源ユニット21Bからの光の出力経路に設置される。反射手段22は、45度傾斜する反射ミラーであり、その下端221は、光源ユニット21Aの灯芯部軸線（即ち、X軸）と光源ユニット21Bの灯芯部軸線（即ち、Y軸）が交わる位置に配置される。反射手段22は、光源ユニット21Bからの光を反射し、光源ユニット21Aからの出力光の方向に導向させることにより、光源ユニット21Aと21Bからのそれぞれの半円錐状の光214を円錐状の光に合成する。
【００１１】
本発明は、反射部2122と半楕円面2111の設置を用い、まず、一つの光源ユニットの入射光を半円錐状の光に変換し、次に、45度傾斜する反射手段22を用い、二つの光源ユニット21Aと21Bからの半円錐状の光を円錐状の光に混合し、一つのバルブを有する光源装置からの光の入射角と同様な入射角で光を発することにより、輝度を向上する。一般的に、二つの光源ユニットを有する光源装置により混合された光の輝度は、一つのバルブを有する光源装置からの光の輝度の1.6〜1.8倍である。
【００１２】
また、複数の光源ユニットにより混合された光の入射角は、一つのバルブを有する光源装置からの光の入射角と同様であるので、複数の光源ユニットを有する光源装置の積分ロッドの入射面は、一つのバルブを有する光源装置の積分ロッドの入射面と同じようにしても良い。よって、積分ロッドの光結合効率と光伝播効率に影響を与えることはない。また、混合された光は、シングルな円錐状光であり、その中心が積分ロッドの中心に位置するので、従来の、二つの円錐状光における中心点の輝度ばらつき問題を解決することができる。
【００１３】
第二の実施形態
図3に示すように、本実施形態は、第一の実施形態に係る第二の反射マスク212と反射部2122の代わりに灯芯部313の表面に反射層312を設置することにより、光源装置の体積を小さくする。本実施形態に係る光源ユニット31は、第一の反射マスク311と灯芯部313を含み、第一の反射マスク311は、その内面が半楕円面3111であり、灯芯部313は、半楕円面3111の焦点に位置し、光を提供する。半楕円面3111から離れる灯芯部313の表面には、反射層312が直接設けられる。反射層312により覆われた灯芯部313からの光の一部は、反射層312により半楕円面3111に反射され、それから、半楕円面3111により反射されて半円錐状の光314を生成し出力する。
【００１４】
第三の実施形態
図4に示すように、本実施形態は、第一の実施形態に係る第二の反射マスク212と反射部2122の代わりに半球面状の反射ミラーを用いる。本実施形態に係る光源ユニット41は、第一の反射マスク411、半球面状の反射ミラー412及び灯芯部413を含む。第一の反射マスク411は、その内面が半楕円面4111である。半球面状の反射ミラー412は、灯芯部413と接続され、第一の反射マスク411の反対側に位置する。半球面状の反射ミラー412の球心は、半楕円面4111の焦点に位置し、これにより、反射ミラー412により反射された光は、再び第一の反射マスク411により反射されて半円錐状の光414を生成し出力する。灯芯部413は、半楕円面4111と半球面状の反射ミラー412の共通の焦点に位置し、灯芯部413からの光は、一部が半楕円面4111により反射されて半円錐状の光を生成して出力し、他の部分が半球面状の反射ミラーにより反射されて元の経路に沿って戻り、それから、再び半楕円面4111により反射されて半円錐状の光を生成して出力する。よって、半球面状の反射ミラー412を用いることにより、光源ユニット41からの光は、第一の反射マスクの開口端のみから出力するので、半円錐状の出力光を提供することができる。
【００１５】
第四の実施形態
図5に示すように、本実施形態と第一の実施形態との相違点は、本実施形態に係る光源ユニット51が二つの灯芯部及び二つの反射マスクを具備することにある。光源ユニット51は、第一の光源ユニット51Aと第二の光源ユニット51Bを含む。
【００１６】
第一の光源ユニットは、反射マスク511Aと灯芯部512Aを含む。反射マスク511Aは、その内面が半楕円面5111A及び半放物面5112Aから構成され、半楕円面5111Aと半放物面5112Aの焦点は同じ位置に位置する。半放物面5112Aの前方には45度傾斜する反射部513Aが設置され、半放物面5112Aに対向する反射部513Aの表面には反射層が設けられる。灯芯部512Aは、反射マスク511内に設置され、半楕円面5111Aと半放物面5112Aとの共通の焦点に位置し、光を提供する。灯芯部512Aからの光は、一部が半楕円面5111Aにより反射されて半円錐状の光を生成して出力し、他の部分が半放物面5112Aと反射部513Aにより反射され、第二の光源ユニット51Bに入射する。
【００１７】
第二の光源ユニット51Bは、内面が放物面である反射マスク511Bと灯芯部512Bを有する。灯芯部512Bは反射マスク511Bの焦点に位置し、灯芯部512Bの配置方向（即ち、Y方向）は、第一の光源ユニット51Aの灯芯部512Aの配置方向（即ち、X方向）と垂直する。反射マスク511Bの開口の半分の位置には、灯芯部512Bの配置方向と垂直する反射面5111Bが設置され、開口の他の半分の位置には、反射部513Aが設置される。これによって、灯芯部512Bからの光は、反射マスク511B、反射面5111B及び反射部513Aにより反射されて、第一の光源ユニット51A内に入射する。
【００１８】
反射面5111Bと反射部513Aの設置により第二の光源ユニット51Bからの出力光の経路を変更し、光源ユニット51からの光は、第一の光源ユニット51Aの半楕円面5111Aのみにより反射されて半円錐状で出力するので、半円錐状の出力光を提供することができる。また、本実施形態の光源ユニットは、二つの灯芯部を用いるので、照明効率を更に向上できる。
【００１９】
第五の実施形態
図6に示すように、本実施形態に係る光源装置60は、複数の光源ユニットと反射手段62を含む。本実施形態において、同様な構成を有する二つの光源ユニット61Aと61Bが用いられ、互いに垂直的に配置される。光源ユニット61Aを例とすれば、光源ユニット61Aは、第一の反射マスク611、第二の反射マスク612及び灯芯部613を含む。第一の反射マスク611は、その内面が半楕円面6111であり、第二の反射マスク612は、灯芯部と接続され、第一の反射マスクの反対側に位置する。第二の反射マスク612の内面は、半放物面6121であり、半放物面6121の焦点は、半楕円面6111の焦点と同じ位置に位置する。光を発する灯芯部613は、第一の反射マスク611と第二の反射マスク612の内部に設けられ、半楕円面6111と半放物面6121の共通の焦点に位置する。
【００２０】
反射手段62は第一の反射部621と第二の反射部622を含む。第一の反射部621は、光源ユニット61Aの半放物面6121の前方に位置し、135度傾斜する反射ミラーであり、半放物面6121により反射された光を反射して、光源ユニット61Bの半放物面6121B内に導向する。第二の反射部622は、光源ユニット61Bからの出力光の経路に設けられ、光源ユニット61Bからの出力光を反射し、光源ユニット61Aからの光の出力方向に導向する。第二の反射部622は45度傾斜する反射ミラーであり、その下端は、第一の反射部621と接続し、光源ユニット61Aの灯芯部軸線（即ち、X軸）と光源ユニット61Bの灯芯部軸線（即ち、Y軸）が交わる位置に配置される。
【００２１】
光源ユニット61Aの灯芯部613からの光は、一部が半楕円面6111により直接反射されて半円錐状の光を生成して出力し、他の部分が半放物面6121と第一の反射部621により繰り返しに反射されてから、再び光源ユニット61A或いは61Bの半楕円面6111或いは6111Bにより反射されて半円錐状の光を生成して出力する。一方、光源ユニット61Bの灯芯部613Bからの光は、一部が半楕円面6111B及び第二の反射部622により直接反射されて半円錐状の光を生成して出力し、他の部分が半放物面6121Bと第一の反射部621により繰り返しに反射されてから、再び光源ユニット61A或いは61Bの半楕円面6111或いは6111Bにより半円錐状の光を生成して出力する。
【００２２】
二つの光源ユニット61Aと61Bの第二の反射マスクの前方には第一の反射部621が設置されるので、光源ユニット61Aと61Bからの光の経路を変更し、光源ユニット61Aと61Bからの光は第一の反射マスク611と611Bの開口端から半円錐状で出力することができる。更に、45度傾斜する第一の反射部621により二つの光源ユニット61Aと61Bからの半円錐状の光を円錐状の光に混合し、一つのバルブを有する光源装置からの光の入射角と同様な入射角で光を発することにより、輝度を向上する。
【００２３】
第六の実施形態
図7に示すように、本実施形態に係る光源装置70は、複数の光源ユニットと反射手段72を含む。本実施形態において、第一の実施形態に係る光源ユニットと同様な構成を有する二つの光源ユニット71Aと71Bが用いられ、互いに対向するように配置される。
【００２４】
反射手段71は第一の光源ユニット71Aと第二の光源ユニット71Bとの間に設置され、45度傾斜する二つの反射面721と722から構成される。反射面721と722は、それぞれ第一の光源ユニット71Aと第二の光源ユニット71Bの半楕円面に対向するように設けられ、半楕円面により反射された半円錐状の光を上に反射し、円錐状の光を合成する。
【００２５】
よって、二つの反射面を具備する反射手段72により二つの光源ユニット71Aと72Bからの半円錐状の光を円錐状の光に混合し、一つのバルブを有する光源装置からの光の入射角と同様な入射角で光を発することにより、輝度を向上する。
【００２６】
また、本発明に用いられる光源ユニットは、第一、第二、第三、第四及び第五の実施形態に係る光源ユニットのうち、任意の二つの組み合わせであっても、光源ユニットの照明効率を向上することができる。
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２７】
【図１】従来の光源装置を示す図である。
【図２】本発明の第一の実施形態に係る光源装置を示す図である。
【図３】本発明の第二の実施形態に係る光源装置を示す図である。
【図４】本発明の第三の実施形態に係る光源装置を示す図である。
【図５】本発明の第四の実施形態に係る光源装置を示す図である。
【図６】本発明の第五の実施形態に係る光源装置を示す図である。
【図７】本発明の第六の実施形態に係る光源装置を示す図である。
【符号の説明】
【００２８】
２０  光源装置
２１A、21B  光源ユニット
２１１  第一の反射マスク
２１１１  半楕円面
２１２  第一の反射マスク
２１２１  半放物面
２１２２  反射部
２１３  灯芯部
２１４  半円錐状の光
２２  反射手段
２２１  下端
３１  光源ユニット
３１１  第一の反射マスク
３１１１  半楕円面
３１２  反射層
３１３  灯芯部
３１４  半円錐状の光
４１  光源ユニット
４１１  第一の反射マスク
４１１１  半楕円面
４１２  半球面状の反射ミラー
４１３  灯芯部
４１４  半円錐状の光
５１  光源ユニット
５１A  第一の光源ユニット
５１１A  反射マスク
５１１１A  半楕円面
５１１２A  半放物面
５１２A  灯芯部
５１３A  反射部
５１B  第二の光源ユニット
５１１B  反射マスク
５１１１B  反射面
５１２B  灯芯部
６０  光源装置
６１A、６１B  光源ユニット
６１１、６１１B  第一の反射マスク
６１１１、６１１１B  半楕円面
６１２  第二の反射マスク
６１２１、６１２１B  半放物面
６１３、６１３B  灯芯部
６２  反射手段
６２１  第一の反射部
６２２  第二の反射部
７０  光源装置
７１A、７１B  光源ユニット
７２  反射手段
７２１、７２２  反射面
【図１】
2006253120.tif 000003
【図２】
2006253120.tif 000004
【図３】
2006253120.tif 000005
【図４】
2006253120.tif 000006
【図５】
2006253120.tif 000007
【図６】
2006253120.tif 000008
【図７】
2006253120.tif 000009